(57)【特許請求の範囲】
【請求項１】
先端に切削刃を備える掘削用鋼管杭であって、
先端から略半円筒状に開口する開閉部材を備えることを特徴とする掘削用鋼管杭。
【請求項２】
先端に略半円筒状の開口部が形成され、
前記開口部に対し前記開閉部材が着脱可能または片ヒンジ構造もしくはスライド式継手構造により備えられることを特徴とする請求項１に記載の掘削用鋼管杭。
【請求項３】
前記開閉部材の先端にも前記切削刃が備えられることを特徴とする請求項１または２に記載の掘削用鋼管杭。
【発明の詳細な説明】
【技術分野】
【０００１】
本発明は、既設護岸やフーチング基礎などの障害物がある箇所に鋼管杭列を構築する際などに用いられる掘削用鋼管杭に関する。
【背景技術】
【０００２】
一般に、既設護岸などの障害物がある箇所に鋼管杭を打設する場合、全周回転式オールケーシング掘削機を用い、ビット付きケーシングチューブを回転圧入しながら、ケーシング内部をハンマーグラブやアースオーガ等で削孔し、置換材を投入した後、鋼管杭を打設する方法が用いられている。
しかし、装置が大がかりとなるばかりか、作業が煩雑で、例えば人家が密集する都市部の河川改修などでは大型機械を搬入、組み立てて設置する作業ヤードの確保が困難な上、騒音・振動の問題などから作業自体が困難になるといった課題があった。
【０００３】
これに対し、特許文献１において、鋼管杭を回転圧入できる鋼管杭圧入装置を用いて既設護岸に鋼管杭列を構築し、この鋼管杭列から反力を得ながら掘削用鋼管杭を圧入して既設護岸に所定の深さの穴を掘削し、その後、掘削用鋼管杭を引き抜いて穴の中に鋼管杭を圧入して連続壁を構築する護岸の構築方法が提案されている。
この場合、構築した鋼管杭列から反力を取って圧入により新たな杭列を構築するのであるから、騒音・振動の問題もなく、狭隘な場所での施工が可能である。
【先行技術文献】
【特許文献】
【０００４】
【特許文献１】特許第４１０５０７６号（特開２００５−１３３３４８号）公報
【発明の概要】
【発明が解決しようとする課題】
【０００５】
しかしながら、特許文献１の方法では、掘削用鋼管杭の内部にコンクリート塊や岩塊が閉塞した場合、その閉塞したコンクリート塊や岩塊はコンクリート破砕機やレッグドリルなどで破砕して除去しなければ鋼管杭を再利用はできず、これらの破砕には手間と費用を要し、また、破砕時には騒音・振動が発生するといった問題が危惧される。
【０００６】
本発明の課題は、既設護岸やフーチング基礎などの障害物がある箇所に鋼管杭を打設する際に用いる簡便で経済的な掘削用鋼管杭を提供することである。
【課題を解決するための手段】
【０００７】
以上の課題を解決するため、請求項１に記載の発明は、
先端に切削刃を備える掘削用鋼管杭であって、
先端から略半円筒状に開口する開閉部材を備えることを特徴とする。
【０００８】
請求項２に記載の発明は、
請求項１に記載の掘削用鋼管杭であって、
先端に略半円筒状の開口部が形成され、
前記開口部に対し前記開閉部材が着脱可能または片ヒンジ構造もしくはスライド式継手構造により備えられることを特徴とする。
【０００９】
請求項３に記載の発明は、
請求項１または２に記載の掘削用鋼管杭であって、
前記開閉部材の先端にも前記切削刃が備えられることを特徴とする。
【発明の効果】
【００１０】
本発明によれば、既設護岸やフーチング基礎などの障害物がある箇所に鋼管杭を打設する場合、管内に閉塞したコンクリート塊や岩塊の破砕のための作業時間と騒音の発生をなくすことができるので、都市部など限られた作業空間の中でも効率よく鋼管杭の打設が可能である。
【図面の簡単な説明】
【００１１】
【図１】本発明を適用した掘削用鋼管杭の一実施形態の構成を示す先端側部分の斜視  図で、ボルトの取り外しを示した図である。
【図２】図１の開閉部材の取り外し方の一例を示した図である。
【図３】図２の杭先端からコンクリート塊を撤去する一例を示した図である。
【図４】図３の杭先端に開閉部材を取り付ける一例を示した図である。
【図５】図４の杭先端に開閉部材をボルトで取り付ける例を示した図である。
【発明を実施するための形態】
【００１２】
以下、図を参照して本発明を実施するための形態を詳細に説明する。
（実施形態）
図１は本発明を適用した掘削用鋼管杭１の一実施形態の構成を示すもので、図示のように、掘削用鋼管杭１の先端には切削刃２が備えられるとともに、その先端から略半円筒状をなす開閉部材３が備えられている。
【００１３】
すなわち、掘削用鋼管杭１には、図２から図４に示すように、先端から略半円筒状の開口部４が形成されていて、この開口部４の周囲に鋼管外周面を一段低くした取付面５が形成されている。
【００１４】
そして、開閉部材３は、開口部４及び取付面５を覆う形状に形成されていて、先端に切削刃２が備えられている。
この開閉部材３には、取付面５に対応する部分に沿って複数の取付穴３１が形成されている。
【００１５】
また、取付面５には、開閉部材３を重ねた状態で取付穴３１と対応する位置に複数の  ネジ穴５１が形成されている。
【００１６】
開閉部材３は、開口部４及び取付面５を覆う状態に重ねて、取付穴３１からボルトＢをネジ穴５１に締め込むことで、掘削用鋼管杭１に一体化される。
【００１７】
以上の掘削用鋼管杭１は、既設護岸やフーチング基礎などの障害物がある箇所に先行杭として用いられる。
【００１８】
そして、掘削用鋼管杭１を打設する工程において、その掘削用鋼管杭１の内部にコンクリート塊Ｃや岩塊が閉塞した場合には、掘削用鋼管杭１を地上に引き上げて、以下の手順により鋼管内部を閉塞したコンクリート塊や岩塊を撤去する。
【００１９】
「施工手順」
１）まず、図１に示すように、掘削用鋼管杭１と略半円筒状をなす開閉部材３を接合しているボルトＢを取り外す。
２）次に、図２に示すように、略半円筒状の開閉部材３に玉掛けを行い、開閉部材３を取り外す。
３）次に、略半円筒状の開口部４からコンクリート塊Ｃを引き出して、図３に示すように、円柱状のコンクリート塊Ｃに玉掛けを行い、コンクリート塊Ｃを撤去する。
４）その後、図４に示すように、再び玉掛けにより開閉部材３を掘削用鋼管杭１に取り付ける。
５）そして、図５に示すように、ボルトＢを用いて、掘削用鋼管杭１と開閉部材３を接合する。
【００２０】
その後、再び掘削する。
【００２１】
以上、実施形態の掘削用鋼管杭１によれば、開閉部材３で先端から略半円筒状に開口部４が開口することにより、鋼管内部に閉塞したコンクリート塊Ｃを細かく破砕することなく容易に撤去でき、手間がかからず、よって経済的である。
また、開閉部材３により開口部４を閉じることで、掘削用鋼管杭１として再利用が容易である。
【００２２】
従って、既設護岸やフーチング基礎などの障害物がある箇所に掘削用鋼管杭１を打設する場合において、管内に閉塞したコンクリート塊や岩塊の破砕のための作業時間と騒音の発生をなくすことができるため、都市部など限られた作業空間の中でも効率よく鋼管杭を打設することができる。
【００２３】
（変形例）
以上の実施形態においては、開閉部材をボルト止めとしたが、本発明はこれに限定されるものではなく、開閉部材は開口部に対しボルトやコッターなどの係止部材で片ヒンジ構造として備えてもよい。
また、開閉部材の両側端と鋼管杭開口部の両側部とを、鋼矢板の嵌合継手状としてスライド式の継手構造としてもよい。
さらに、実施形態では、コンクリート塊の撤去を説明したが、同様に岩塊の撤去も行える。
また、開口部及びその開閉部材の形状等も任意であり、その他、具体的な細部構造等についても適宜に変更可能であることは勿論である。
【符号の説明】
【００２４】
１  鋼管杭
２  切削刃
３  開閉部材
３１  取付穴
４  開口部
５  取付面
５１  ネジ穴
Ｂ  ボルト
Ｃ  コンクリート塊
【図１】
0005819736.tif 000002
【図２】
0005819736.tif 000003
【図３】
0005819736.tif 000004
【図４】
0005819736.tif 000005
【図５】
0005819736.tif 000006